(57)【要約】【課題】  本発明は緊急又は非常出水に際し、他所から止水板３を人力で搬入する必要がなく、その時間と労力を要せず、速やかに地下構造物の入口８を止水し、遠隔制御可能な非常用止水装置を得ることを目的とする。【解決手段】  １組の直立平行面１，１と対向方向直立突出部２，２とによって止水板３の入口両壁受部４，４を形成し、止水板３の両端部を該受部４，４に沿って昇降摺動自在に懸垂支持してなり、上記直立平行面１，１にそれぞれ、その上方から床面５に至る案内ガイド６，６を設け、上記両案内ガイド６，６の上部６ａが太く下部が細く形成され、中間部にテーパガイド面６’，６’を介在し、止水板３の両端部に上記案内ガイド６，６の上下部に昇降摺動自在に係合する２股部７，７を設けてなり、上記下部６ｂにおいて止水板３を上記直立突出部２，２の正面及び床面５に圧接止水する装置２４を備えてなる昇降止水装置。【選択図】  図１
2006009305.tif 000002
【特許請求の範囲】
【請求項１】
１組の直立平行面と対向方向直立突出部とによって止水板の入口両壁受部を形成し、止水板の両端部を該受部に沿って昇降摺動自在に懸垂支持してなり、
上記直立平行面にそれぞれ、その上方から床面に至る案内ガイドを設け、
上記両案内ガイドの上部が太く下部が細く形成され、中間部にテーパガイド面を介在し、
止水板の両端部に上記案内ガイドの上下部に昇降摺動自在に係合する２股部を設けてなり、
上記下部において止水板を上記直立突出部の正面及び床面に圧接止水する装置を備えてなる昇降止水装置。
【請求項２】
止水板の上記下端面に代り下端部背面を、上記床面に代り横溝の内部正面に圧接止水する請求項１記載の昇降止水装置。
【請求項３】
止水板の左右両端部背面に代り左右両端部正面に、直立突出部の正面に代り直立突出部の背面とする請求項１又は２記載の昇降止水装置。
【請求項４】
上記圧接止水する装置が止水板に枢支したハンドルの先端部で上記直立平行面側に突設又は凹設したテーパ面を押圧し、止水板の両端部背面又は正面を、上記直立突出部の正面又は背面に圧接止水するものである請求項１〜３のいずれかに記載の昇降止水装置。
【発明の詳細な説明】
【技術分野】
【０００１】
本発明は地下道、地下駐車場その他の地下設備の入口に洪水等に際し、水の浸入を防止する昇降形止水装置に関するものである。
【背景技術】
【０００２】
従来、構造物の入口両側に止水板の左右両端部の止水面を設け、該止水面に止水板の両端部背面又は両端部正面を圧着し、かつ止水板の下面を床面に圧着して地下入口を閉鎖し、水の流入を防止した（例えば特許文献１）。
【０００３】
上記止水板による止水装置では金属製止水板を地下構造物の入口部に他所から搬入する必要があり、止水板を収納におく場所を要し、緊急に際し入口部に搬入するため緊急洪水対応する時間を要した。
【０００４】
【特許文献１】特許第３４５８０７７号公報
【発明の開示】
【発明が解決しようとする課題】
【０００５】
本発明は緊急又は非常出水に際し、他所から止水板を人力で搬入する必要がなく、その時間と労力を要せず、速やかに地下構造物の入口を止水し、遠隔制御可能な非常用止水装置を得ることを目的とする。
【課題を解決するための手段】
【０００６】
上記目的を達成するため本発明は、
第１に１組の直立平行面と対向方向直立突出部とによって止水板の入口両壁受部を形成し、止水板の両端部を該受部に沿って昇降摺動自在に懸垂支持してなり、上記直立平行面にそれぞれ、その上方から床面に至る案内ガイドを設け、上記両案内ガイドの上部が太く下部が細く形成され、中間部にテーパガイド面を介在し、止水板の両端部に上記案内ガイドの上下部に昇降摺動自在に係合する２股部を設けてなり、上記下部において止水板を上記直立突出部の正面及び床面に圧接止水する装置を備えてなる昇降止水装置、
第２に止水板の上記下端面に代り下端部背面を、上記床面に代り横溝の内部正面に圧接止水する上記第１発明記載の昇降止水装置、
第３に止水板の左右両端部背面に代り左右両端部正面に、直立突出部の正面に代り直立突出部の背面とする上記第１又は第２発明記載の昇降止水装置、
第４に上記圧接止水する装置が止水板に枢支したハンドルの先端部で上記直立平行面側に突設又は凹設したテーパ面を押圧し、止水板の両端部背面又は正面を、上記直立突出部の正面又は背面に圧接止水するものである上記第１〜第３発明のいずれかに記載の昇降止水装置。
によって構成される。
【０００７】
従って通常、止水板の２股部を案内ガイドに係合させて同ガイドの上部に引上げて、その状態を保持し、同ガイドの下部の入口を開いて人や自動車を出入させることができる。
【０００８】
洪水による緊急出水に際して、上記止水板を下降させると、２股部も案内ガイドに沿って太い上部からテーパガイド面を経て細い下部に下降し、該２股部は細い下部の前後方向（入口の内外方向）に摺動可能となり、止水板の両端部正面又は背面は直立突出部の背面又は正面に圧接可能となる。そして止水板の下端面は床面に自重によって圧接し、又は床面に形成した横溝の内部正面又は内部背面に圧接させることができる。
【０００９】
上記圧接はハンドルを把持して上又は下から横方向に回動させることによってハンドルの先端部で、上記直立突出部の内側又は外側の直立平行面側に突設又は凹設したテーパ面を押圧し、その押圧力又は押圧反力によって止水板の両端部又は下端部の背面又は正面を上記突出部の正面または背面を圧接止水することができる。
【００１０】
又止水板の下端面はその自重によって上記入り口両壁受部間の床面または横溝の底面に圧接止水する。
【発明の効果】
【００１１】
本発明は上述のように構成したので地下設備への入口両壁受部及び床面または横溝底面に、上方空間に常時支持している止水板を速やかに案内下降して上記受部及び床面側に圧接止水し、洪水による緊急出水に迅速に対応し得る効果がある。
【発明を実施するための最良の形態】
【００１２】
マンション等の高層建築物の１階部分に駐車室の出入り口８を開口し、出入口８の高さは上段駐車台（図示していない）の上方から中段駐車台（出入口床水準駐車台、図示していない）即ち出入口８の床面５までで、横幅は上中下段駐車台の横幅が等しい。
【００１３】
下段駐車台は出入口８の床面水準の下方（地下）に設けられ、各駐車台は上中下段に昇降するようになっている。
【００１４】
上記出入口８には両側壁９，９間に金網製昇降ゲートが既に設けられ、その外側（手前）に止水板３を昇降摺動自在に懸垂支持するものである。
【００１５】
両側壁９，９には１組の対向直立平行面１，１と対向方向直立突出部２，２とを一体に設け、これにより止水板３の入口両壁面受部４，４を形成する。
【００１６】
止水板３はその両端部３’，３’を上記受部４，４に沿って、その上方から床面５までワイヤーロープ１０，１０によって牽引上昇及び弛緩下降させ、下降位置では止水板３の下端面３”に設けた止水ゴム１１（図５）を床面５に自重によって圧接止水する。
【００１７】
図６に示すように上記受部４，４間の床面５に凹設した横溝５ａでは底面５’に上記止水ゴム１１が止水板３の自重で圧接止水する。上記横溝５ａはステンレス形鋼板レールによって形成され底面５’と内外床面５との間の正面及び背面を傾斜面５”とする。
【００１８】
ワイヤーロープ１０，１０は止水板３の上端に接続し、上記建築物の出入口８の天井側の両側水平軸１２，１２に枢支した上方の滑車１３，１３を迂回して垂下し、垂下端に重錐１４，１４を懸垂する。重錐１４，１４の合計重量は止水板３の重量よりも小さい。
【００１９】
上記水平軸１２，１２にはそれぞれ従動スプロケット１５，１５を設け、該水平軸１２，１２の中央部には上記建築物側に正逆駆動ブレーキモータ１６を設け、その出力軸１７に２個の駆動スプロケット１８，１８を設け、駆動及び従動スプロケット１５，１８間に無端チェン１９，１９を掛回し、
上記ブレーキモータ１６の正転によって滑車１３，１３を同一方向に回動させてワイヤロープ１０，１０の弛緩によって止水板３を図１実線位置（自重による床面５又は底面５’への圧接止水位置）に下降させることができ、上記モータ１６の逆転によってワイヤロープ１０，１０は滑車１３，１３の左方回動に伴い重錐１４，１４が下降して緊張上昇し、止水板を図１（イ）図実線位置から仮想線位置に上昇させることができる。
【００２０】
出入口８の床面５又は上記底面５’から両側壁９，９に沿って互に対向する１組のステンレス鋼製の直立平行面１，１が設けられ、該平行面１，１は上記両側壁９，９そのものであり、又は両側壁９，９に凸設又は凹設されたものであっても差支えない。
【００２１】
上記平行面１，１は上記床面５又は底面５’から天井５ｂへの中程付近まで延長され、これらの平行面１，１には対向方向に向かう直立突出部２，２を上記平行面１，１と一体的に設け、これによって上記止水板３の受部４，４とする。即ち該受部４，４は入口両側壁９，９設けられた止水板３の両端部３’，３’の止水用受部４，４である。
【００２２】
上記直立平行面１，１にはそれぞれその上方天井５ｂ付近から床面５又は底面５’に到る横断面半円弧形直立案内ガイド６をボルト等によって一体的に設け、
上記ガイド６の上記受部４，４より高い部分（上部６ａ）を太く（半径大に）、上記受部４，４の内部（下部６ｂ）を細く（半径小に）形成し、上記受部４，４の上端を境に下部６ｂから上部６ａに到る中間部にテーパガイド面６’を介在させる。
【００２３】
そこで上記止水板３の左右両端部３’，３’に上記案内ガイド６，６の上部６ａ，６ａに昇降摺動自在に係合又は嵌合する半円弧形２股部７，７を突設し、止水板３の上記昇降動作に際し、上記上部６ａ，６ａからテーパガイド面６’，６’を経て下部６ｂ，６ｂに又は下部６ｂ，６ｂからテーパガイド面６’，６’を経て上部６ａ，６ａに上記２股部７，７を拘束して昇降させるものである。
【００２４】
上記止水板３及び２股部７，７が下部６ｂ，６ｂに下降すると２股部７，７の凹部曲率が大で下部６ｂ，６ｂの凸部曲率が小であるため２股部７，７は図４（ロ）図に示すように上記直立平行面１，１に沿って出入口８の内側又は外側に摺動する余裕ができ、該平行面１，１の内側又は外側に一体的に形成されている対向方向直立突出部２，２の正面２’又は背面２”に圧接させることができる。
【００２５】
図４（ロ）図では止水板３の両端部３’，３’の正面側に枢支した直立ハンドル２０を把持して横向に回動させることによって外側（手前）の直立突出部２の背面（内面２”）に設けたテーパ面２１に沿って上記ハンドル２０の他端を出入口８の内側に押圧し、それに伴って止水板３の両端部３’，３’の背面を直立突出部２の正面２’に圧接し、止水ゴム２２を介在させて止水することができる。
【００２６】
その止水状態では止水板３の下端面３”を床面５又は底面５’に止水ゴム１１で圧接止水し、かつ図６に示すように該止水ゴム１１を床面５と底面５”との間の傾斜面５”にも圧接止水することができ、圧接止水装置２４とすることができる。
【実施例１】
【００２７】
上記滑車１３，１３に代り図２に示すように巻取ドラム２３，２３を用い、ワイヤロープ１０，１０を該ドラム２３，２３に巻取って止水板３を上昇させ、巻戻して下降させ、止水板３の下降後ワイヤロープ１０，１０を弛めて床面５または底面５’に止水板３の自重を掛けることができる。
【００２８】
案内ガイド６、及び２股部７は必ずしも横断面半円弧形ではなく、横断面方形、三角形等であれば足りる。
【００２９】
又上記圧接止水装置２４は必ずしも上記クレセントではなく手動によるコッター等であっても差支えない。
【００３０】
止水板３の横幅が大である場合には図５、図６に示すように止水板３の中央部背面に支柱２５を当接し、その下端を床面５に凹設した掛り穴２６に挿入し、支柱２５の上端に止水板３の上端に引掛ける係合金具２７によって支柱２５を支持し、かつ支柱２５の背面に出入口８の内側床面５に支持されるステイ２８を設けるものである。
又止水板３を上昇させた位置に留めるため、上記ブレーキモータ１６のブレーキを動作し、かつ上昇止水板３をその位置に留める手動ストッパを設けることができる。
【産業上の利用可能性】
【００３１】
本発明では高さの高い出入口を有する地上から地下に至る高層建築物等の既設の駐車場において既設の昇降開閉ゲートの正面側（外側）に並行に上記止水板を昇降自在に設けることができる。
【図面の簡単な説明】
【００３２】
【図１】（イ）図は本発明の昇降止水装置の正面、（ロ）図は昇降駆動部分の拡大平面図である。
【図２】図１（イ）図の他の実施例の正面図である。
【図３】（イ）図は案内ガイド部分の拡大正面図、（ロ）図は案内ガイドの拡大斜視図である。
【図４】（イ）図は案内ガイドの上部と２股部との関係平面図、（ロ）図は案内ガイドの下部と２股部と関係平面図である。
【図５】止水板の中央部に設けた支柱の側面図である。
【図６】図５の分解斜視図である。
【符号の説明】
【００３３】
１      直立平行面
２      対向方向直立突出部
３      止水板
３’    両端部
３”    下端面
４      入口両壁受部
５      床面
５’    底面
６      案内ガイド
６ａ    上部
６ｂ    下部
６’    テーパガイド面
７      ２股部
２４    圧接止水装置
【図１】
2006009305.tif 000003
【図２】
2006009305.tif 000004
【図３】
2006009305.tif 000005
【図４】
2006009305.tif 000006
【図５】
2006009305.tif 000007
【図６】
2006009305.tif 000008